(57)【特許請求の範囲】
【請求項１】
携帯用端末機におけるユーザインタフェース設定方法であって、
選択可能な多数のユーザモードを出力するステップと、
ユーザからユーザモードが選択されるステップと、
前記多数のユーザモードのうちの前記ユーザが選択したユーザモードをユーザインタフェースに設定するステップと、を有し、
前記多数のユーザモードは、ユーザの年齢に基づいて固定的に定まる少なくとも一つ以上のユーザモード及びユーザの使用パターンに基づいて可変的に定まるユーザモードを含むことを特徴とするユーザインタフェース設定方法。
【請求項２】
選択可能な多数のユーザモードを出力する前に、前記携帯用端末機がブーティングされるステップを更に含むことを特徴とする請求項１に記載のユーザインタフェース設定方法。
【請求項３】
前記ユーザが選択したユーザモードが簡単モードである場合、
全ての通信機能がオンに設定され、
音及びディスプレイ関連機能をユーザがユーザインタフェース上ですぐにアクセス可能なようにユーザインタフェースが設定されることを特徴とする請求項１に記載のユーザインタフェース設定方法。
【請求項４】
前記ユーザが選択したユーザモードが一般モードである場合、
ユーザインタフェースは、工場出荷時の基本ユーザインタフェースに設定されることを特徴とする請求項１に記載のユーザインタフェース設定方法。
【請求項５】
前記ユーザが選択したユーザモードが年寄りモードである場合、
メニューのフォント及びアイコンが基本サイズよりも大型のフォント及びアイコンに設定され、
電話機能、メッセージサービス、及び病院呼出機能をユーザがインタフェース上ですぐにアクセス可能なようにユーザインタフェースが設定されることを特徴とする請求項１に記載のユーザインタフェース設定方法。
【請求項６】
前記ユーザが選択したユーザモードが子供モードである場合、
メニューのフォント及びアイコンが基本サイズより大型のフォント及びアイコンに設定され、
ママ呼出、メッセージサービス、及びＳＯＳ電話機能をユーザがユーザインタフェース上ですぐにアクセス可能なようにユーザインタフェースが設定されることを特徴とする請求項１に記載のユーザインタフェース設定方法。
【請求項７】
前記ユーザが選択したユーザモードがユーザ使用パターンモードである場合、
ユーザがよく使用するメニュー項目に該当する機能をユーザがユーザインタフェース上で優先的にアクセス可能なようにユーザインタフェースが設定されることを特徴とする請求項１に記載のユーザインタフェース設定方法。
【請求項８】
携帯用端末機におけるユーザインタフェース設定装置であって、
基地局と通信するモデムと、
選択可能な多数のユーザモードを出力してユーザからユーザモードが選択され、前記多数のユーザモードのうちの前記ユーザが選択したユーザモードをユーザインタフェースに設定する制御部と、
前記ユーザの入力データを前記制御部に提供する入力部と、
前記制御部の出力データをディスプレイするディスプレイ部と、を備え、
前記多数のユーザモードは、ユーザの年齢に基づいて固定的に定まる少なくとも一つ以上のユーザモード及びユーザの使用パターンに基づいて可変的に定まるユーザモードを含むことを特徴とするユーザインタフェース設定装置。
【請求項９】
前記制御部は、選択可能な多数のユーザモードを出力する前に、ブーティングされることを特徴とする請求項８に記載のユーザインタフェース設定装置。
【請求項１０】
前記ユーザが選択したユーザモードが簡単モードである場合、
前記制御部は、
全ての通信機能をオンに設定し、
音及びディスプレイ関連機能をユーザがユーザインタフェース上ですぐにアクセス可能なようにユーザインタフェースを設定することを特徴とする請求項８に記載のユーザインタフェース設定装置。
【請求項１１】
前記ユーザが選択したユーザモードが一般モードである場合、
前記制御部は、工場出荷時の基本ユーザインタフェースをユーザインタフェースに設定することを特徴とする請求項８に記載のユーザインタフェース設定装置。
【請求項１２】
前記ユーザが選択したユーザモードが年寄りモードである場合、
前記制御部は、
メニューのフォント及びアイコンが基本サイズよりも大型のフォント及びアイコンに設定し、
電話機能、メッセージサービス、及び病院呼出機能をユーザがユーザインタフェース上ですぐにアクセス可能なようにユーザインタフェースを設定することを特徴とする請求項８に記載のユーザインタフェース設定装置。
【請求項１３】
前記ユーザが選択したユーザモードが子供モードである場合、
前記制御部は、
メニューのフォント及びアイコンを基本サイズより大型のフォント及びアイコンに設定し、
ママ呼出、メッセージサービス、及びＳＯＳ電話機能をユーザがユーザインタフェース上ですぐにアクセス可能なようにユーザインタフェースを設定することを特徴とする請求項８に記載のユーザインタフェース設定装置。
【請求項１４】
前記ユーザが選択したユーザモードがユーザ使用パターンモードである場合、
前記制御部は、ユーザがよく使用するメニュー項目に該当する機能をユーザがユーザインタフェースで優先的にアクセス可能なようにユーザインタフェースを設定することを特徴とする請求項８に記載のユーザインタフェース設定装置。
【請求項１５】
移動通信システムにおける通信社サーバーのユーザインタフェース設定方法であって、
選択可能な多数のユーザモードを携帯端末機に送信するステップと、
前記多数のユーザモードのうちの前記携帯端末機のユーザが選択したユーザモードのユーザインタフェース設定値を決定するステップと、
前記決定されたユーザインタフェース設定値を前記携帯端末機に送信するステップと、を有し、
前記多数のユーザモードは、ユーザの年齢に基づいて固定的に定まる少なくとも一つ以上のユーザモード及びユーザの使用パターンに基づいて可変的に定まるユーザモードを含むことを特徴とするユーザインタフェース設定方法。
【請求項１６】
前記ユーザの使用パターンに基づいて可変的に定まるユーザモードは、ユーザ使用パターンモードであることを特徴とする請求項１５に記載のユーザインタフェース設定方法。
【請求項１７】
前記ユーザの年齢に基づいて固定的に定まる少なくとも一つ以上のユーザモードは、子供モード、一般モード、簡単モード、及び年寄りモードを含むことを特徴とする請求項１５に記載のユーザインタフェース設定方法。
【請求項１８】
前記ユーザインタフェース設定値を決定するステップは、前記ユーザの使用パターンに基づいて可変的に定まるユーザ使用パターンモードが選択された場合、ユーザがよく使用するメニュー項目に該当する機能をユーザがユーザインタフェース上で優先的にアクセス可能なようにユーザインタフェース設定値を決定することを特徴とする請求項１５に記載のユーザインタフェース設定方法。
【請求項１９】
移動通信システムにおける通信社サーバーのユーザインタフェース設定装置であって、
他のノードと通信を行うためのモデムと、
選択可能な多数のユーザモードを携帯端末機に送信し、前記多数のユーザモードのうちの前記携帯端末機のユーザが選択したユーザモードのユーザインタフェース設定値を決定し、該決定されたユーザインタフェース設定値を前記携帯用端末機に送信する制御部と、を備え、
前記多数のユーザモードは、ユーザの年齢に基づいて固定的に定まる少なくとも一つ以上のユーザモード及びユーザの使用パターンに基づいて可変的に定まるユーザモードを含むことを特徴とするユーザインタフェース設定装置。
【請求項２０】
前記ユーザの使用パターンに基づいて可変的に定まるユーザモードは、ユーザ使用パターンモードであることを特徴とする請求項１９に記載のユーザインタフェース設定装置。
【請求項２１】
前記ユーザの年齢に基づいて固定的に定まる少なくとも一つ以上のユーザモードでは、子供モード、一般モード、簡単モード、及び年寄りモードを含むことを特徴とする請求項１９に記載のユーザインタフェース設定装置。
【請求項２２】
前記制御部は、前記ユーザの使用パターンに基づいて可変的に定まるユーザ使用パターンモードが選択された場合、ユーザがよく使用するメニュー項目に該当する機能をユーザがユーザインタフェース上で優先的にアクセス可能なようにユーザインタフェース設定値を決定することを特徴とする請求項１９に記載のユーザインタフェース設定装置。
【発明の詳細な説明】
【技術分野】
【０００１】
本発明は、ユーザ設定が可能なユーザインタフェース生成に関し、より詳細には、ユーザが携帯用端末機のユーザインタフェースの初期設定をユーザの便宜に合わせて設定する方法及び装置に関するものである。
【背景技術】
【０００２】
一般的に、携帯用端末機のユーザインタフェースは、生産の際に予め定められ、ユーザが任意にユーザインタフェースを修正することは困難である。
【０００３】
これは、ユーザが設定済みのユーザインタフェースに慣れるまでに時間を要することを意味し、ユーザに携帯用端末機の使用に不便を感じさせる原因となっている。
【０００４】
また、最近のスマートフォンは、生活の利便性のためにリリースされているが、高齢のユーザやスマートフォンを利用するのに知識が浅い人には、より複雑な操作方法と使用方法によってスマートフォンの使用に不便を感じさせる一つの原因になっている。
【先行技術文献】
【特許文献】
【０００５】
【特許文献１】韓国特許出願公開第１０−２００１−０００６３０２号明細書
【発明の概要】
【発明が解決しようとする課題】
【０００６】
本発明は、上記従来の問題点に鑑みてなされたものであって、本発明の目的は、携帯用端末機においてユーザ設定が可能なユーザインタフェース設定方法及び装置を提供することにある。
また、本発明の目的は、携帯用端末機においてユーザの便宜に合わせてユーザインタフェースを設定することが可能なユーザインタフェース設定方法及び装置を提供することにある。
また、本発明の目的は、携帯用端末機の使用に対して専門的な知識がないか又は高齢のシルバー世代に使用便宜性を提供し、子供用の保護機能を提供するユーザインタフェース設定方法及び装置を提供することにある。
【課題を解決するための手段】
【０００７】
上記目的を達成するためになされた本発明の一態様による携帯用端末機におけるユーザインタフェース設定方法は、選択可能な多数のユーザモードを出力するステップと、ユーザからユーザモードが選択されるステップと、前記多数のユーザモードのうちの前記ユーザが選択したユーザモードをユーザインタフェースに設定するステップと、を有し、前記多数のユーザモードは、ユーザの年齢に基づいて固定的に定まる少なくとも一つ以上のユーザモード及びユーザの使用パターンに基づいて可変的に定まるユーザモードを含むことを特徴とする。
【０００８】
上記目的を達成するためになされた本発明の一態様による携帯用端末機におけるユーザインタフェース設定装置は、基地局と通信するモデムと、選択可能な多数のユーザモードを出力してユーザからユーザモードが選択され、前記多数のユーザモードのうちの前記ユーザが選択したユーザモードをユーザインタフェースに設定する制御部と、前記ユーザの入力データを前記制御部に提供する入力部と、前記制御部の出力データをディスプレイするディスプレイ部と、を備え、前記多数のユーザモードは、ユーザの年齢に基づいて固定的に定まる少なくとも一つ以上のユーザモード及びユーザの使用パターンに基づいて可変的に定まるユーザモードを含むことを特徴とする。
【０００９】
上記目的を達成するためになされた本発明の一態様による移動通信システムにおける通信社サーバーのユーザインタフェース設定方法は、選択可能な多数のユーザモードを携帯端末機に送信するステップと、前記多数のユーザモードのうちの前記携帯端末機のユーザが選択したユーザモードのユーザインタフェース設定値を決定するステップと、前記決定されたユーザインタフェース設定値を前記携帯端末機に送信するステップと、を有し、前記多数のユーザモードは、ユーザの年齢に基づいて固定的に定まる少なくとも一つ以上のユーザモード及びユーザの使用パターンに基づいて可変的に定まるユーザモードを含むことを特徴とする。
【００１０】
上記目的を達成するためになされた本発明の一態様による移動通信システムにおける通信社サーバーのユーザインタフェース設定装置は、他のノードと通信を行うためのモデムと、選択可能な多数のユーザモードを携帯端末機に送信し、前記多数のユーザモードのうちの前記携帯端末機のユーザが選択したユーザモードのユーザインタフェース設定値を決定し、該決定されたユーザインタフェース設定値を前記携帯用端末機に送信する制御部と、を備え、前記多数のユーザモードは、ユーザの年齢に基づいて固定的に定まる少なくとも一つ以上のユーザモード及びユーザの使用パターンに基づいて可変的に定まるユーザモードを含むことを特徴とする。
【発明の効果】
【００１１】
本発明のユーザインタフェース設定方法及び装置によれば、携帯用端末機の使用に対して専門的な知識がないか又は高齢のシルバー世代に使用便宜性を提供し、子供用の保護機能を提供することができる。また、携帯用端末機の初ブーティングの際に、ユーザの便宜に合わせてユーザインタフェースを設定することができるという利点がある。また、携帯用端末機の初ブーティングの際に、通信社サーバーがユーザの年齢に合うユーザインタフェースを選択することでユーザに利便性を提供できる利点がある。
【図面の簡単な説明】
【００１２】
【図１】本発明の一実施形態によるユーザインタフェース設定画面を概略的に示す図である。
【図２】本発明の一実施形態によるユーザインタフェース設定画面を概略的に示す図である。
【図３】本発明の一実施形態による携帯用端末機のユーザインタフェース設定ステップを示すフローチャートである。
【図４】本発明の一実施形態によるコンピュータを利用したユーザインタフェース設定を示す図である。
【図５】本発明の一実施形態によるコンピュータを利用するユーザインタフェース設定におけるコンピュータの動作ステップを示すフローチャートである。
【図６】本発明の一実施形態によるコンピュータを利用するユーザインタフェース設定における携帯用端末機の動作ステップを示すフローチャートである。
【図７】本発明の一実施形態による通信社サーバーを用いたユーザインタフェース設定ステップを示す図である。
【図８】本発明の一実施形態による通信社サーバーを用いたユーザインタフェース設定における携帯用端末機の動作ステップを示すフローチャートである。
【図９】本発明の一実施形態による通信社サーバーを用いたユーザインタフェース設定における通信社サーバーの動作ステップを示すフローチャートである。
【図１０】本発明の一実施形態による携帯用端末機のブロック構成を示す図である。
【図１１】本発明の一実施形態による通信社サーバーのブロック構成を示す図である。
【発明を実施するための形態】
【００１３】
以下、本発明を実施するための形態の具体例を、図面を参照しながら詳細に説明する。本発明を説明するに当たって、関連する公知機能或いは構成に対する具体的な説明が本発明の要旨を不明確にするおそれがあると判断される場合、その詳細な説明を省略する。後述する用語は本発明における機能に基づいて定義したものであり、これは使用者、運用者の意図又は慣例などによって異なり得る。従って、その定義は本明細書全般に亘る内容に基づいて定められるべきである。
【００１４】
以下、本発明は、携帯用端末機においてユーザ設定が可能なユーザインタフェース生成方法及び装置について説明する。本発明で、携帯用端末機はスマートフォンを含む意味で使用する。
【００１５】
図１及び図２は、本発明の一実施形態によるユーザインタフェース設定画面を概略的に示す図である。
【００１６】
図１及び図２を参照すると、携帯用端末機がブーティングされると、ユーザモード１００の設定を要求する画面がディスプレイされる。例えば、ユーザモードは、簡単モード（ｅａｓｙ  ｍｏｄｅ）、一般モード（Ｎｏｒｍａｌ  Ｍｏｄｅ）、年寄りモード（Ｓｅｎｉｏｒ  ｍｏｄｅ）、子供モード（ｋｉｄ  ｍｏｄｅ）などがディスプレイされ、ユーザはそのうちの一つのユーザモードを選択することができる。
【００１７】
ユーザが一つのユーザモードを選択した場合、選択されたユーザモードを用いてユーザインタフェースが選択される。
【００１８】
先ず、ユーザモード１００の設定画面で簡単モード１１５が選択された場合、ブルートゥース、無線ＬＡＮ、ＧＰＳ（Ｇｌｏｂａｌ  Ｐｏｓｉｔｉｏｎｉｎｇ  Ｓｙｓｔｅｍ）などの機能が基本的にオンに設定される。また、音やティスプレイなどの主要機能をユーザが該当メニューからすぐにアクセスできるように設定される。即ち、全ての通信機能がオンに設定され、音やディスプレイ関連機能をユーザがユーザインタフェース上ですぐにアクセス可能なようにユーザインタフェースが設定される。
【００１９】
ユーザモード１００の設定画面で、一般モード１１７が選択された場合、携帯用端末機において一般的に使用される普通のメニューが選択される。即ち、ユーザインタフェースは、工場出荷時の基本ユーザインタフェースに設定される。
【００２０】
ユーザモード１００の設定画面で、年寄りモード１２０が選択された場合、メニュー項目が大型アイコンでディスプレイされる。この場合、電話機能、メッセージ、緊急電話などの高齢者のためのプログラムが優先順位に設定される。
【００２１】
即ち、メニューのフォント及びアイコンが基本サイズよりも大型のフォント及びアイコンに設定され、電話機能、メッセージサービス、病院呼出のような緊急電話機能をユーザがインタフェース上ですぐにアクセス可能なようにユーザインタフェースが設定される。
【００２２】
ユーザモード１００の設定画面で、子供モード１３０が選択された場合、メニュー項目が大型アイコンでディスプレイされ、また子供用のメニューが優先順位に設定される。
【００２３】
即ち、ママ呼出、メッセージサービス、ＳＯＳ電話機能をユーザがユーザインタフェース上ですぐにアクセス可能なようにユーザインタフェースが設定される。
【００２４】
また、年寄りモード１２０及び子供モード１３０では、フォントサイズ、色、及びその模様が識別しやすく設定される。
【００２５】
図示していないが、ユーザからユーザ使用パターンモードが選択された場合、ユーザの使用パターンに合うユーザインタフェースが設定される。ユーザの使用パターンに合うユーザインタフェース設定は、ユーザがよく使用するメニュー項目を優先的に先頭に配置することを意味する。
【００２６】
ユーザからユーザ使用パターンモードが選択されて決定された場合、携帯用端末機は、ブーティングされた後、更にユーザの設定値が適用されるようにすることができる。
【００２７】
図３は、本発明の一実施形態による携帯用端末機のユーザインタフェース設定ステップを示すフローチャートである。
【００２８】
図３を参照すると、携帯用端末機がブーティングされた後（ステップ２１０）、ユーザインタフェース選択画面が携帯用端末機に出力される（ステップ２１５）。ユーザインタフェース選択画面の例は、図１及び図２の符号１００として図示している。
【００２９】
ユーザから簡単モードが選択された場合（ステップ２２０）、簡単モードにユーザインタフェースを選択する（ステップ２２５）。
【００３０】
ユーザから一般モードが選択された場合（ステップ２３０）、一般モードにユーザインタフェースを選択する（ステップ２３５）。
【００３１】
ユーザから年寄りモードが選択された場合（ステップ２４０）、年寄りモードにユーザインタフェースを選択する（ステップ２４５）。
【００３２】
ユーザから子供モードが選択された場合（ステップ２５０）、子供モードにユーザインタフェースを選択する（ステップ２５５）。
【００３３】
図示していないが、ユーザからユーザ使用パターンモードが選択された場合、ユーザの使用パターンに合うユーザインタフェースが設定される。ユーザの使用パターンに合うユーザインタフェース設定は、ユーザがよく使用するメニュー項目を優先的に先頭に配置することを意味する。
【００３４】
図４は、本発明の一実施形態によるコンピュータを利用したユーザインタフェース設定を示す図である。
【００３５】
図４を参照すると、コンピュータ３００と携帯用端末機３１０は、有線又は無線で接続される。無線接続には、ブルートゥース、無線ＬＡＮなどの近距離無線接続プロトコルを使用することができる。
【００３６】
この場合、コンピュータ３００には、図１及び図２の符号１００と同様のユーザインタフェース選択画面が出力され、コンピュータ３００を介してユーザが使用するユーザモードを選択してユーザインタフェースとして使用することができる。
【００３７】
図５は、本発明の一実施形態によるコンピュータを利用するユーザインタフェース設定におけるコンピュータの動作ステップを示すフローチャートである。
【００３８】
図５を参照すると、コンピュータと携帯用端末機が接続された場合（ステップ４０５）、コンピュータには携帯用端末機のユーザインタフェース管理メニューが出力される（ステップ４１０）。ユーザインタフェース管理メニューは、図１及び図２の符号１００として図示している。
【００３９】
次に、ユーザは、使用するユーザモードの選択を通じてユーザインタフェースを選択する（ステップ４１５）。
【００４０】
図６は、本発明の一実施形態によるコンピュータを利用するユーザインタフェース設定における携帯用端末機の動作ステップを示すフローチャートである。
【００４１】
図６を参照すると、コンピュータと携帯用端末機が接続された場合（ステップ５０５）、携帯用端末機をコンピュータに接続するコンピュータ接続モードを問う画面が携帯用端末機に出力される。次に、携帯用端末機は、ユーザからコンピュータ接続モードが選択されて（ステップ５１０）該当モードでコンピュータと接続する。
【００４２】
ユーザがコンピュータを介してユーザモードを選択した場合、選択されたユーザモードが携帯用端末機に送信されてユーザインタフェースに設定される。
【００４３】
図７は、本発明の一実施形態による通信社サーバーを用いたユーザインタフェース設定ステップを示す図である。
【００４４】
図７に示すように、携帯用端末機６１０がブーティングされると、携帯用端末機６１０は基地局６２０を介して通信社サーバー６３０に位置登録を開始する。
【００４５】
次に、ユーザは、携帯用端末機６１０を介して通信社サーバー６３０に使用するユーザインタフェース設定値を要請する。
【００４６】
この場合、通信社サーバー６３０は、携帯用端末機６１０に携帯用端末機６１０のユーザの年齢に合うユーザインタフェース設定値を送信する。
【００４７】
また、通信社サーバー６３０は、携帯用端末機６１０に携帯用端末機６１０のユーザ使用パターンに応じたユーザインタフェース設定値を送信する。
【００４８】
ユーザ使用パターンは、ユーザがよく使用するメニュー項目を優先的に画面上に位置させることを意味する。
【００４９】
図８は、本発明の一実施形態による通信社サーバーを用いたユーザインタフェース設定における携帯用端末機の動作ステップを示すフローチャートである。
【００５０】
図８を参照すると、携帯用端末機は、ブーティングされた後（ステップ７０５）、通信社サーバーにユーザインタフェース設定値を要請する（ステップ７１０）。
【００５１】
次に、携帯用端末機は、通信社サーバーから該当ユーザに対するユーザインタフェース設定値を受信し（ステップ７１５）、該当ユーザインタフェース設定値を適用する（ステップ７２０）。即ち、受信したユーザインタフェース設定値に応じたユーザモードを決定し、決定されたユーザモードをユーザインタフェースに設定する。
【００５２】
図９は、本発明の一実施形態による通信社サーバーを用いたユーザインタフェース設定における通信社サーバーの動作ステップを示すフローチャートである。
【００５３】
図９に示すように、通信社サーバーは、携帯用端末機からユーザインタフェース設定値の要請を受信した場合、（ステップ８０５）、ユーザインタフェース設定基準がユーザの年齢であるか（ステップ８１０）否かを検査する。
【００５４】
ユーザインタフェース設定基準がユーザの年齢である場合、ユーザの年齢に合うユーザインタフェース設定値を携帯用端末機に送信する（ステップ８２０）。
【００５５】
ユーザの年齢に合うユーザインタフェース設定は、ユーザの年齢に合うユーザメニューがユーザインタフェースとして選択されることを意味する。
【００５６】
一例として、図１に示すように、ユーザが子供である場合は子供モードにユーザメニューが選択され、ユーザが男性の大人である場合は一般モードにユーザメニューが選択され、ユーザが女性の大人である場合は簡単モードにユーザメニューが選択され、ユーザが高齢者である場合は年寄りモードにユーザメニューが選択される。
【００５７】
また、ユーザインタフェース設定基準がユーザ使用パターンである場合（ステップ８１５）、ユーザの使用パターンに合うユーザインタフェース設定値を携帯用端末機に送信する（ステップ８２５）。
【００５８】
ユーザの使用パターンに合うユーザインタフェース設定は、ユーザがよく使用するメニュー項目を優先的に先頭に配置することを意味する。
【００５９】
図１０は、本発明の一実施形態による携帯用端末機のブロック構成を示す図である。
【００６０】
図１０を参照すると、携帯用端末機は、無線モデム９１０、制御部９２０、保存部９３０、ユーザインタフェース管理部９４０を含んで構成される。図示していないが、携帯用端末機は、制御部９２０及びユーザインタフェース管理部９４０の出力データをディスプレイするディスプレイ部と、ユーザからの入力を受信して入力に対するデータを制御部９２０又はユーザインタフェース管理部９４０に提供する入力部とを含むことは当然である。
【００６１】
モデム９１０は、他の機器と通信を行うためのモジュールであり、無線処理部及び基底帯域処理部などを含んで構成される。無線処理部は、アンテナを介して受信した信号を基底帯域信号に変更して基底帯域処理部に提供し、基底帯域処理部からの基底帯域信号を実際の無線経路上で送信できるように無線信号に変更してアンテナを介して送信する。
【００６２】
モデム９１０で使用される無線通信プロトコルには、現在使用される全種類の無線通信プロトコルを使用することができる。
【００６３】
制御部９２０は、携帯用端末機の全般的な動作を制御し、特に本実施形態においてユーザインタフェース管理部９４０を制御するか、或いは含むことができる。
【００６４】
保存部９３０は、携帯用端末機の全般的な動作を制御するためのプログラム及びプログラムの実行中に発生する一時的なデータを保存する。
【００６５】
ユーザインタフェース管理部９４０は、携帯用端末機がブーティングされた後、ユーザインタフェース選択画面を出力する。ユーザインタフェース選択画面の例は、図１及び図の符号１００として図示している。
【００６６】
ユーザから簡単モードが選択された場合、ユーザインタフェース管理部９４０は簡単モードにユーザインタフェースを選択する。
【００６７】
ユーザから一般モードが選択された場合、ユーザインタフェース管理部９４０は一般モードにユーザインタフェースを選択する。
【００６８】
ユーザから年寄りモードが選択された場合、ユーザインタフェース管理部９４０は年寄りモードにユーザインタフェースを選択する。
【００６９】
ユーザから子供モードが選択された場合、ユーザインタフェース管理部９４０は子供モードにユーザインタフェースを選択する。
【００７０】
また、ユーザからユーザ使用パターンモードが選択された場合、ユーザの使用パターンに合うユーザインタフェースが設定される。ユーザの使用パターンに合うユーザインタフェース設定は、ユーザがよく使用するメニュー項目を優先的に先頭に配置することを意味する。
【００７１】
ユーザインタフェース管理部９４０は、コンピュータと携帯用端末機が接続された場合、携帯用端末機をコンピュータに接続するコンピュータ接続モードを問う画面を出力する。
【００７２】
次に、ユーザインタフェース管理部９４０は、ユーザからコンピュータ接続モードが選択されて該当モードでコンピュータと接続する。
【００７３】
ユーザがコンピュータを介してユーザモードを選択した場合、選択されたユーザモードが携帯用端末機に送信され、ユーザインタフェース管理部９４０は、選択されたユーザモードをユーザインタフェースに設定する。
【００７４】
ユーザインタフェース管理部９４０は、ブーティングされた後、通信社サーバーにユーザインタフェース設定値を要請する。
【００７５】
次に、ユーザインタフェース管理部９４０は、通信社サーバーから該当ユーザに対するユーザインタフェース設定値を受信して該当ユーザインタフェース設定値を適用する。即ち、受信したユーザインタフェース設定値に応じたユーザモードを決定し、決定済みのユーザモードをユーザインタフェースに設定する。
【００７６】
図１１は、本発明の一実施形態による通信社サーバーのブロック構成を示す図である。
【００７７】
図１１を参照すると、通信社サーバーは、有線モデム１０１０、制御部１０２０、保存部１０３０、ユーザインタフェース管理部１０４０を含んで構成される。
【００７８】
有線モデム１０１０は、他の機器と通信を行うためのモジュールであり、有線処理部及び基底帯域処理部などを含んで構成される。有線処理部は、有線経路を介して受信した信号を基底帯域信号に変更して基底帯域処理部に提供し、基底帯域処理部からの基底帯域信号を実際の有線経路上で送信できるように有線信号に変更して有線経路を介して送信する。
【００７９】
有線モデム１０１０で使用される有線通信プロトコルには、現在使用される全種類の有線通信プロトコルを使用することができる。
【００８０】
制御部１０２０は、通信社サーバーの全般的な動作を制御し、特に本実施形態においてユーザインタフェース管理部１０４０を制御するか、或いは含むことができる。
【００８１】
保存部１０３０は、通信社サーバーの全般的な動作を制御するためのプログラム及びプログラムの実行中に発生する一時的なデータを保存する。
【００８２】
ユーザインタフェース管理部１０４０は、携帯用端末機からユーザインタフェース設定値の要請を受信した場合、ユーザインタフェース設定基準がユーザの年齢であるか否かを検査する。
【００８３】
ユーザインタフェース設定基準がユーザの年齢である場合、ユーザインタフェース管理部１０４０はユーザの年齢に合うユーザインタフェース設定値を携帯用端末機に送信する。
【００８４】
ユーザの年齢に合うユーザインタフェース設定は、ユーザの年齢に合うユーザメニューがユーザインタフェースとして選択されることを意味する。
【００８５】
一例として、図１に示すように、ユーザが子供である場合は子供モードにユーザメニューが選択され、ユーザが男性の大人である場合は一般モードにユーザメニューが選択され、ユーザが女性の大人である場合は簡単モードにユーザメニューが選択され、ユーザが高齢者である場合は年寄りモードにユーザメニューが選択される。
【００８６】
また、ユーザインタフェース設定基準がユーザ使用パターンである場合、ユーザインタフェース管理部１０４０は、ユーザの使用パターンに合うユーザインタフェース設定値を携帯用端末機に送信する。
【００８７】
ユーザの使用パターンに合うユーザインタフェース設定は、ユーザがよく使用するメニュー項目を優先的に先頭に配置することを意味する。
【００８８】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【００８９】
１００    ユーザモード
１１５    簡単モード
１１７    一般モード
１２０    年寄りモード
１３０    子供モード
３００    コンピュータ
３１０、６１０    携帯用端末機
６２０    基地局
６３０    通信社サーバー
９１０    無線モデム
９２０、１０２０    制御部
９３０、１０３０    保存部
９４０、１０４０    ユーザインタフェース管理部
１０１０    有線モデム
【図１】
0005614783.tif 000002
【図２】
0005614783.tif 000003
【図３】
0005614783.tif 000004
【図４】
0005614783.tif 000005
【図５】
0005614783.tif 000006
【図６】
0005614783.tif 000007
【図７】
0005614783.tif 000008
【図８】
0005614783.tif 000009
【図９】
0005614783.tif 000010
【図１０】
0005614783.tif 000011
【図１１】
0005614783.tif 000012